(57)【要約】【課題】乳児を寝かすベッドを自動的に上下動でき、しかも、想定外の力を加えても上下動の速度を殆ど一定に保持すること。【解決手段】  土台１の上にベッド載置台２を載せ、昇降用のガイド１８とガイドに通す鉛直なスライドポスト６のうち一方を土台に、他方をベッド載置台に設け、土台に止めたモーター８の水平な出力軸９にアーム１０を介してローラー１１を偏心位置に固定し、ローラーが押し上げる支持バー１９をベッド載置台に設け、出力軸を中心にして公転するローラーの上下動によってベッド載置台を昇降させることを特徴とする乳児用ベッド。【選択図】      図１
2006325666.tif 000002
【特許請求の範囲】
【請求項１】
土台（１）の上にベッド載置台（２）を載せ、昇降用のガイド（１８）とガイドに通す鉛直なスライドポスト（６）のうち一方を土台（１）に、他方をベッド載置台（２）に設け、土台（２）に止めたモーター（８）の水平な出力軸（９）にアーム（１０）を介してローラー（１１）を偏心位置に固定し、ローラー（１１）が押し上げる支持バー（１９）をベッド載置台（２）に設け、出力軸（９）を中心にして公転するローラ（１１）の上下動によってベッド載置台（２）を昇降させることを特徴とする乳児用ベッド。
【請求項２】
ベッド載置台（２）を押し上げる衝撃吸収手段（３）を、土台（１）とベッド載置台（２）の間に連結すると共に、衝撃吸収手段（３）の押し上げ力に反してベッド載置台（２）を下方に引き寄せるために、公転時のローラー（１１）を平面視した軌跡を囲む案内枠（２０）を支持バー（１９）に設け、案内枠（２０）内にローラー（１１）を収容してあることを特徴とする請求項１記載の乳児用ベッド。
【発明の詳細な説明】
【技術分野】
【０００１】
本発明は、乳児を寝かせるベッドを、モーターで上下動させる乳児用ベッドに関する。
【背景技術】
【０００２】
乳児を寝かせるベッドを手動で上下動させるものが存在する。これは、揺り籠状のベッドをベッドフレーム内に収容すると共に、ベッドをスプリングでベッドフレームから吊り下げたものである。そして、ベッドを上から押さえて手を離すと、スプリングの弾力と、ベッド及び乳児の重みによってベッドが上下動を繰り返し、その上下動によって乳児に眠気をもたらす。
【特許文献１】特願２００３−０７５３４１
【０００３】
ところが、これはスプリングでベッドを吊り下げたものなので、例えば乳児の上の子供等が非常に強い力でベッドを上から押さえて手を離すと、深く沈んだ分だけストロークの長い上下動が予想外の激しい勢いで繰り返されることになり、安全上好ましくない。また、上下動は徐々に弱まっていくので、乳児が寝付くまで、ベッドを押さえて手を離す作業を続けなければならず、煩雑である。
【発明の開示】
【発明が解決しようとする課題】
【０００４】
本発明は上記実情を考慮してなされたもので、その目的は、乳児を寝かすベッドを自動的に上下動でき、しかも、想定外の力を加えても上下動の速度を殆ど一定に保持することである。
【課題を解決するための手段】
【０００５】
本発明の乳児用ベッドは、土台の上にベッド載置台を載せ、昇降用のガイドとガイドに通す鉛直なポストのうち一方を土台に、他方をベッド載置台に設け、土台に止めたモーターの水平な出力軸にアームを介してローラーを偏心位置に固定し、ローラーが押し上げる支持バーをベッド載置台に設け、出力軸を中心にして公転するローラーの上下動によってベッド載置台を昇降させることを特徴とする。
【０００６】
下降から上昇に転ずる際にベッド載置台及びその上のベッドに寝かせた乳児に衝撃が加わるが、公転するローラーの下降時にはベッド載置台等の重みによってモーターが早く回転してその衝撃力が強まる。これを防ぎつつベッド載置台を昇降させるには、請求項２の発明のように、ベッド載置台を押し上げる衝撃吸収手段を、土台とベッド載置台の間に連結すると共に、衝撃吸収手段の押し上げ力に反してベッド載置台を下方に引き寄せるために、公転時のローラーを平面視した軌跡を囲む案内枠を支持バーに設け、案内枠内にローラーを収容することが望ましい。このようにすれば、衝撃吸収手段によってベッド載置台に押し上げ力が加わっていても、案内枠によってベッド載置台を下方に引き寄せることができる。
【発明の効果】
【０００７】
請求項１の発明は、公転するローラーの上下動によってベッド載置台を昇降するものなので、ベッド載置台の昇降速度は一定に保たれ安全である。また、モーターで昇降させるものなので、乳児が寝付くまで人手を介さずとも昇降を繰り返すことができ、都合がよい。
【０００８】
請求項２の発明は、案内枠にローラーを収容してあるので、衝撃吸収手段の押し上げ力に反してベッド載置台等を下降させることができる。そして、ローラー下降時にベッド載置台等の重みによってモーターが勢いよく回転して下降速度が早まるのを、衝撃吸収手段で遅くするので、下降から上昇に転ずる際に乳児にかかる衝撃を弱めることができる。
【発明を実施するための最良の形態】
【０００９】
本発明の乳児用ベッドは図１から図３に示すように、床上に設置する土台１に対してベッド載置台２を自動的に昇降可能に設けると共に、土台１とベッド載置台２の間に昇降時の衝撃吸収手段３を介在したものである。
【００１０】
土台１は、縦横の桟４を矩形状に枠組し、枠の四隅の底側にキャスター５を付け、枠の上側にはスライドポスト６を前後左右に間隔をあけて起立してある。枠内のほぼ中央部には受け桟７を架設し、受け桟７の上にモーター８を止めてある。モーター８の水平な出力軸９に鉛直なアーム１０を介してローラー１１を水平に止め、出力軸９に対してローラー１１を偏心位置とし、モーター８の駆動によって出力軸９を中心にしてローラー１１が公転する。受け桟７の側方であって枠の内側ほぼ中央部には下桟１２を架設し、下桟１２の前後幅中央部にブラケット１３を介して衝撃吸収手段３の下端部を止めてある。衝撃吸収手段３を設けたのは、公転に伴うローラー１１の下降時にはベッド載置台２等の重みによってモーター８が早く回転するので、これを防ぐためである。
【００１１】
衝撃吸収手段３は、シリンダに対してピストンロッドが往復動可能なダンパ（高圧ガス封入ダンパ）であって、図面上はシリンダ側を土台１に止め、ピストンロッド側をベッド載置台２に止め、その弾性力によってベッド載置台２を押し上げる力が加わっている。
【００１２】
ベッド載置台２は、縦横の桟１４を矩形の箱形に骨組してフレーム１５を形成し、フレーム１５内の上側には上桟１６を、下桟１２の真上に架設し、上桟１６にブラケット１７を介して衝撃吸収手段３のピストンロッド側を止めてある。また、スライドポスト６を通して上下に案内する筒状のガイド（ベアリング）１８をフレーム１５の下側に前後左右に間隔をあけて固定してある。前述したローラー１１の公転時の軌跡を平面視すると直線往復運動となり、その直線往復軌跡に沿って、ローラー１１が支える支持バー１９をフレーム１５の下側中央部に架設してある。
【００１３】
ローラー１１が公転して下方に向かう際に前述した衝撃吸収手段３の上向きの力によってローラー１１から支持バー１９が離れてベッド載置台２が常時上に位置するのを防ぐには、衝撃吸収手段３の押し上げ力に反してベッド載置台２を下方に引き寄せる必要がある。そのために、公転時のローラー１１の直線往復軌跡を上下前後から囲む案内枠２０を、支持バー１９の下に形成する。支持バー１９自体が案内枠２０の一部となっており、案内枠２０内にローラー１１を上下に回転用の遊びのある状態で収容してある。従って、公転に伴うローラー１１の下降時に案内枠２０が押し込まれて、ベッド載置台２が追従して下降する。案内枠２０を組んだ後ではローラー１１を収容できないので、支持バー１９の底面にローラー１１を当てた状態で残りのコ字部分を組んで案内枠２０を形成することによって、案内枠２０内にローラー１１を収容する。
【００１４】
図２，図３に示すようにフレーム１５の上側には持ち手２１を側方に突出しており、持ち運びを容易にしてある。土台１及びベッド載置台２は、組む材料の桟４，１４に中空形材を用いることによって軽量化を図ってある。なお、図示しないが、ベッド載置台２の周囲（前後左右）に防音板を張り巡らせれば、モーター８の駆動音が外部に漏れ難くなり、静かな製品になる。
【００１５】
モーター８は、ｏｎ／ｏｆｆ用のスイッチと、タイマー機能を備えた制御部を有している（図示省略）。スイッチをｏｎすると、制御部がタイマー機能によって数分間モーター８を連続運転し、その後、強制的にモーター８の運転を停止する。従って、スイッチをｏｆｆし忘れても、数分後には上下動が停止するので、乳児に悪影響はない。
【００１６】
上述した乳児用ベッドは、ベッド載置台２の上に容器状のベッド２２を載せる。その後、ベッド２２の上に乳児を載せて、モーター駆動用のスイッチをｏｎすると、モーター８の出力軸９が回転し、それによってローラー１１が公転する。ガイド１８内にスライドポスト６を通してあるので、ローラー１１の公転に伴ってベッド載置台２が安定して昇降する。また、衝撃吸収手段３によってベッド載置台２を押し上げているので、ベッド載置台２がゆっくり下降する。一方、衝撃吸収手段３の押し上げ力とベッド載置台２等の重みによる下降力がほぼ釣り合って、ベッド載置台２がゆっくり上昇する。従って、公転時のローラー１１の上下動に伴って、乳児を寝かせたベッド２２がベッド載置台２と一緒にゆっくり上下動し、そのうちに乳児が寝付き、その後、タイマーによってベッド載置台２の上下動が自動的に停止する。符号２３は敷き布団である。
【図面の簡単な説明】
【００１７】
【図１】本発明の乳児用ベッドを示す分解斜視図である。
【図２】乳児用ベッドの側面方向の断面図である。
【図３】乳児用ベッドの正面方向の断面図である。
【符号の説明】
【００１８】
１  土台
２  ベッド載置台
３  衝撃吸収手段
６  スライドポスト
８  モーター
９  出力軸
１０  アーム
１１  ローラー
１８  ガイド
１９  支持バー
２０  案内枠
【図１】
2006325666.tif 000003
【図２】
2006325666.tif 000004
【図３】
2006325666.tif 000005